(57)【要約】【課題】見栄えがよくデザイン性に優れる照明装置を提供する。【解決手段】照明装置１は、発光装置６０と、発光装置６０を回動可能に支持するヒンジ部４０と、ヒンジ部４０を介して発光装置６０に接続される筐体２０とを備える。筐体２０の一面を視て、発光装置６０と筐体２０とが重なる姿勢となる場合に、発光装置６０は、筐体２０の全体を覆う。【選択図】図１Ａ
2020098731.tif 000002
【特許請求の範囲】
【請求項１】
発光装置と、
前記発光装置を回動可能に支持するヒンジ部と、
前記ヒンジ部を介して前記発光装置に接続される筐体とを備え、
前記筐体の一面を視て、前記発光装置と前記筐体とが重なる姿勢となる場合に、前記発光装置は、前記筐体の全体を覆う
照明装置。
【請求項２】
さらに、当該照明装置を取り付けるための取付面に対して傾斜する角度で、前記筐体を前記取付面に固定するネジ部材を備える
請求項１に記載の照明装置。
【請求項３】
前記筐体の一面を視て、前記発光装置と前記筐体とが重なる姿勢となる場合に、前記ネジ部材は、前記発光装置の外周縁よりも内側に配置される
請求項２に記載の照明装置。
【請求項４】
前記筐体は、板状部と、前記板状部の外周縁を囲むように、前記板状部の外周縁から立上る側壁部とを有し、
前記ネジ部材は、前記取付面に対して傾斜する角度で前記側壁部に挿通されることで、前記筐体を前記取付面に固定する
請求項２又は３に記載の照明装置。
【請求項５】
前記発光装置は、発光モジュールと、前記発光モジュールが発する光を配光制御する光学部材と、前記発光モジュールに対する前記光学部材の位置を変更する可動部とを備え、
前記可動部は、
前記筐体の一面を視て、前記発光装置と前記筐体とが実質的に重ならない姿勢となる場合に、前記発光装置が発する光の配光角が第１配光角となるように、前記光学部材を第１位置に移動させ、
前記筐体の一面を視て、前記発光装置と前記筐体とが重なる姿勢となる場合に、前記発光装置が発する光の配光角が前記第１配光角と異なる第２配光角となるように、前記光学部材を前記第１位置と異なる第２位置に移動させる
請求項１〜４のいずれか１項に記載の照明装置。
【請求項６】
さらに、前記発光装置が発する光を第１色温度と、前記第１色温度と異なる第２色温度とに切り換える照明制御部を備え、
前記筐体の一面を視て、前記発光装置と前記筐体とが実質的に重ならない姿勢となる場合に、前記発光装置は、前記第１色温度の光を発し、
前記筐体の一面を視て、前記発光装置と前記筐体とが重なる姿勢となる場合に、前記発光装置は、前記第２色温度の光を発する
請求項１〜５のいずれか１項に記載の照明装置。
【発明の詳細な説明】
【技術分野】
【０００１】
本開示は、照明装置に関する。
【背景技術】
【０００２】
従来の照明装置として特許文献１には、円筒形状に形成されるセードと、セードに設けられ半導体発光素子によって構成される光源を有する光源ユニットと、設置面に取り付けられるベースとを備える照明器具が開示されている。
【先行技術文献】
【特許文献】
【０００３】
【特許文献１】特開２０１８−１６６０２６号公報
【発明の概要】
【発明が解決しようとする課題】
【０００４】
従来の照明装置のベースとセードとが重なる位置から視た場合に、セードの後ろ側に存在するベースを視認することができるため、人は、照明装置に違和感を覚える。
【０００５】
そこで、見栄えがよくデザイン性に優れた照明装置を提供することを目的とする。
【課題を解決するための手段】
【０００６】
上記目的を達成するために、本開示に係る照明装置の一態様は、発光装置と、前記発光装置を回動可能に支持するヒンジ部と、前記ヒンジ部を介して前記発光装置に接続される筐体とを備え、前記筐体の一面を視て、前記発光装置と前記筐体とが重なる姿勢となる場合に、前記発光装置は、前記筐体の全体を覆う。
【発明の効果】
【０００７】
本開示の照明装置は、見栄えがよくデザイン性に優れる。
【図面の簡単な説明】
【０００８】
【図１Ａ】図１Ａは、実施の形態１に係る照明装置を例示する斜視図である。
【図１Ｂ】図１Ｂは、発光装置と筐体とが重なる姿勢の場合の照明装置を例示する正面図である。
【図２】図２は、実施の形態１に係る照明装置を例示するブロック図である。
【図３Ａ】図３Ａは、図１のＩＩＩＡ−ＩＩＩＡ線における照明装置の断面を例示する断面図である。
【図３Ｂ】図３Ｂは、図１のＩＩＩＢ−ＩＩＩＢ線における照明装置の断面を例示する断面図である。
【図４】図４は、発光装置と筐体とが重なる姿勢の場合の点灯状態と、発光装置と筐体とが実質的に重ならない姿勢の場合の点灯状態とを例示する図である。
【図５Ａ】図５Ａは、実施の形態２に係る発光装置と筐体とが重なる姿勢の場合の点灯状態を例示する断面図である。
【図５Ｂ】図５Ｂは、実施の形態２に係る発光装置と筐体とが実質的に重ならない姿勢の場合の点灯状態を例示する断面図である。
【発明を実施するための形態】
【０００９】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置及び接続形態等は、一例であり、本開示を限定する趣旨ではない。よって、以下の実施の形態における構成要素のうち、本開示の最上位概念を示す独立請求項に記載されていない構成要素については、任意の構成要素として説明される。
【００１０】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略又は簡略化する。
【００１１】
まず、本実施の形態に係る照明装置について説明する。
【００１２】
（実施の形態１）
［構成］
図１Ａは、実施の形態１に係る照明装置１を例示する斜視図である。
【００１３】
図１Ａに示すように、照明装置１は、天井、壁等の造営材に取り付けられる装置である。例えば、照明装置１は、スポットライト、ダウンライト等である。照明装置１は、発光装置６０を回動させることで、狭角に配光制御した光を照射することで局所的に照明したり、広角に配光制御した光を照射することで周囲を広く照明したりすることができる装置である。発光装置６０を回動した場合の別の姿勢のときの、発光装置６０の発光面６０ａを二点鎖線で示す。
【００１４】
図２は、実施の形態に係る照明装置１を例示するブロック図である。図３Ａは、図１のＩＩＩＡ−ＩＩＩＡ線における照明装置１の断面を例示する断面図である。図３Ｂは、図１のＩＩＩＢ−ＩＩＩＢ線における照明装置１の断面を例示する断面図である。
【００１５】
図２、図３Ａ及び図３Ｂに示すように、照明装置１は、取付板１０と、筐体２０と、ネジ部材３０と、ヒンジ部４０と、切換入力部５０と、発光装置６０と、可動部６９と、照明制御部７１と、電源部７２とを備える。
【００１６】
取付板１０は、筐体２０を所定の姿勢で固定するための固定板である。取付板１０は、ボルト等の締結部材によって、造営材の取付面に取り付けられる。取付板１０は、矩形状の平板である。取付板１０は、例えば、アルミニウム、又は鉄等を主成分とした金属板、樹脂製等の板状の部材である。
【００１７】
取付板１０は、取付本体部１１と、２つの係止部１２とを有する。
【００１８】
取付本体部１１は、図示しないパッキンを介して造営材の取付面に固定される。より具体的には、取付本体部１１は、造営材とでパッキンを挟むように、造営材の取付面に取り付けられる。取付本体部１１は、矩形状の平板である。
【００１９】
２つの係止部１２は、取付本体部１１に設けられ、取付本体部１１と一体的に形成される。２つの係止部１２は、取付本体部１１の両端に形成される。具体的には、一方の係止部１２は、取付本体部１１のＹ軸プラス方向の外周縁と接する位置に形成され、他方の係止部１２は、取付本体部１１の中心軸から一方の係止部１２とは反対側の、取付本体部１１のＹ軸マイナス方向の外周縁と接する位置に形成される。なお、係止部１２は３つ以上形成されていてもよい。
【００２０】
各々の係止部１２は、取付本体部１１に対してＺ軸プラス方向に立ち上がる板状の壁である立上部と、立上部の先端から屈曲して取付本体部１１の外周縁に向けて傾斜する板状の部材である第１傾斜面部１３とを有する。第１傾斜面部１３には、ネジ部材３０が締結される第１挿通孔１３ａが形成される。第１傾斜面部１３がＸ−Ｙ平面に対して傾斜している。そのため、ネジ部材３０が挿通される第１挿通孔１３ａの挿通方向は、取付板１０の底面に対して傾斜する。
【００２１】
筐体２０は、発光モジュール６５に電力を供給するための図示しない配線が挿通される容器である。筐体２０は、金属製であり、例えば、アルミニウム、又は鉄等を主成分とした部材である。本実施の形態では、筐体２０は、例えばアルミダイカスト工程を経て形成される。
【００２２】
筐体２０は、平面視で矩形状の板状の部材である板状部２１と、板状部２１の外周縁を囲むように、板状部２１の外周縁から立上る壁状の部材である側壁部２２とを有する。
【００２３】
側壁部２２は、２つのネジ孔部２３を有する。２つのネジ孔部２３は、Ｙ軸方向における筐体２０の側壁部２２の両側に形成される。具体的には、一方のネジ孔部２３は、筐体２０のＹ軸プラス方向の側壁部２２に形成され、他方のネジ孔部２３は、板状部２１の中心軸から一方のネジ孔部２３とは反対側の、筐体２０のＹ軸マイナス方向の側壁部２２に形成される。なお、ネジ孔部２３は３つ以上形成されていてもよい。ネジ孔部２３は、取付板１０の底面に対して所定の角度で傾斜する第２傾斜面部２４を有する。第２傾斜面部２４は、第１傾斜面部１３と対向する。
【００２４】
第２傾斜面部２４がＸ−Ｙ平面に対して傾斜しているため、ネジ部材３０が挿通される第２挿通孔２３ａの挿通方向は、取付板１０の底面に対して傾斜する。より具体的には、一対の第２傾斜面部２４は、Ｚ軸マイナス方向に向かって広がる方向に傾斜する。本実施の形態では、第２傾斜面部２４の面と平行な直線がＸ−Ｙ平面に対して傾斜する傾斜角度は、第１傾斜面部１３の面と平行な直線がＸ−Ｙ平面に対して傾斜する傾斜角度と略同一である。また、第２傾斜面部２４の内側の面（筐体２０の内側の面）と第１傾斜面部１３のＺ軸プラス方向側の面とが当接する。つまり、Ｚ軸マイナス方向から筐体２０を平面視した場合に、第１傾斜面部１３とネジ孔部２３の第２傾斜面部２４とは、重なっている。
【００２５】
また、ネジ孔部２３は、筐体２０の側壁部２２に形成され、側壁部２２の外周面から筐体２０の中心軸に向かって凹む凹部である。ネジ孔部２３には、取付板１０と筐体２０とを締結するネジ部材３０が設けられる。つまり、ネジ部材３０が取付板１０と筐体２０とを締結した状態で、Ｚ軸プラス方向から筐体２０を平面視した場合（筐体２０を正面から視た場合）に、２つのネジ部材３０は、筐体２０の側壁部２２の外周面から突出していない。つまり、２つのネジ部材３０は、ネジ孔部２３に隠れて視認できない。ここで、○○を正面から視た場合とは、照明装置１の一面をＺ軸プラス方向側から視た場合である。
【００２６】
ネジ部材３０は、取付板１０と筐体２０とを締結するための、ネジ、ボルト等の締結部材であり、例えばシールネジである。ネジ部材３０は、取付板１０の底面と平行な直線に対して傾斜する角度で筐体２０に挿通されることで、取付板１０と筐体２０とを締結する。ネジ部材３０の傾斜はネジ部材３０の頭部（ドライバと係合する部分）が筐体２０から離れる方向（言い換えれば、Ｚ軸方向と平行な筐体２０の中心軸から離れる方向）に傾斜している。
【００２７】
取付作業において、ネジ部材３０が傾斜する角度（以下、単に角度ということがある。）が０°に近づくほど、ドライバ及び作業者の手が造営材に接触し易くなり、角度が９０°に近づくほど、ドライバ及び作業者の手が発光装置６０に接触し易くなる。このため、ネジ部材３０の挿通方向と取付板１０の底面との角度は、約３５°〜約６０°である。角度は、約４５°〜約５５°にすることが好ましい。
【００２８】
図３Ａに示すように、ヒンジ部４０は、筐体２０に対して発光装置６０を回動可能に支持する可変機構であり、本実施の形態では、Ｙ軸方向を軸心として回動する。ヒンジ部４０による回動角度（回動範囲）は、例えば、発光装置６０の発光面６０ａがＸ−Ｙ平面と平行な状態からＺ−Ｙ平面と平行な状態までの９０°の回動角度である。なお、回動角度は、９０°に限定されず、９０°より大きくてもよく小さくてもよい。
【００２９】
本実施の形態では、ヒンジ部４０は、発光装置６０の発光面６０ａが筐体２０に対してＸ−Ｚ平面と平行な方向に回動する、つまり、Ｙ軸方向を軸心として回動するが、これに限定されない。例えば、ヒンジ部４０は、発光装置６０が筐体２０に対してＸ−Ｙ平面と平行な方向に回動する、つまり、Ｚ軸方向を軸心として回動してもよい。
【００３０】
図２、図３Ａ及び図３Ｂに示すように、切換入力部５０は、ヒンジ部４０の回動を検出するセンサである。切換入力部５０は、回転センサ、ジャイロセンサ等である。切換入力部５０は、ヒンジ部４０の回動を検出すると、検出情報を照明制御部７１に出力する。なお、検出情報は、例えば、Ｘ−Ｙ平面に対するヒンジ部４０の回動角度を示す情報を含んでいてもよい。なお、切換入力部５０は、センサに限定されず、単に機械式のスイッチ（例えばトグルスイッチ）でもよい。この場合、ヒンジ部４０の回動に応じてスイッチが切り替わるように、このスイッチとヒンジ部４０とが係合されていてもよい。なお、切換入力部５０がヒンジ部４０の回動を検出する手段は、他の公知の手段を用いてもよく、これらに限定されない。
【００３１】
図１Ｂは、発光装置６０と筐体２０とが重なる姿勢の場合の照明装置１を例示する正面図である。図１Ｂに示すように、発光装置６０は、照明する光を発する器具である。筐体２０の一面を視て、発光装置６０と筐体２０とが重なる姿勢（詳細については後述するが、以下、第１の姿勢という場合がある。）の場合に、発光装置６０は、筐体２０の全体を覆う。つまり、照明装置１の一面を視て、筐体２０は発光装置６０に隠れており、筐体２０を視認することができない。発光装置６０の投影面積は筐体２０の投影面積よりも大きく、筐体２０は発光装置６０に隠れる。また、筐体２０の投影面積は、発光装置６０の発光面６０ａの面積よりも小さくてもよい。
【００３２】
また、筐体２０の一面を視て、発光装置６０と筐体２０とが実質的に重ならない姿勢（詳細については後述するが、以下、第２の姿勢という場合がある。）の場合に、発光装置６０の後ろに存在する筐体２０を視認できる。
【００３３】
図２、図３Ａ及び図３Ｂに示すように、発光装置６０は、収容体６１と、発光モジュール６５と、光学部材６７とを備える。
【００３４】
収容体６１は、直方体状の容器である。具体的には、収容体６１の一部が開口する。収容体６１は、発光モジュール６５、光学部材６７等を収容する。収容体６１の開口の面積は、発光面６０ａの面積と同等となる。
【００３５】
また、収容体６１には、ヒンジ部４０の他端部と接続する支持アーム部４１が接続される。ヒンジ部４０の回動とともに支持アーム部４１が回動することで、収容体６１は回動する。
【００３６】
さらに、収容体６１は、金属製であり、例えば、アルミニウム、又は鉄等を主成分とした部材である。本実施の形態では、収容体６１は、例えばアルミダイカスト工程を経て形成される。収容体６１は、発光モジュール６５から発生した熱を放熱するヒートシンクとして機能してもよい。
【００３７】
発光モジュール６５は、照明装置１が周囲を照明するための光を出射する。発光モジュール６５は、光を放射状に発するＬＥＤ（Ｌｉｇｈｔ  Ｅｍｉｔｔｉｎｇ  Ｄｉｏｄｅ）を有するモジュールである。発光モジュール６５は、収容体６１の形状に応じて形成され、本実施の形態では矩形状である。
【００３８】
発光モジュール６５は、光源６５ａと、実装基板６５ｂとを有する。
【００３９】
各々の光源６５ａは、例えば白色光を出射するように構成される。具体的には、各々の光源６５ａは、ＣＯＢ（Ｃｈｉｐ  Ｏｎ  Ｂｏａｒｄ）型ＬＥＤで構成され、実装基板６５ｂと、実装基板６５ｂ上に実装されたベアチップ（ＬＥＤチップ）である複数の青色ＬＥＤと、それら青色ＬＥＤを封止し、黄色蛍光体を含む封止部材とを備える。なお、各々の光源６５ａは、白色光以外の色の光を出射することができ、白色光には限定されない。
【００４０】
実装基板６５ｂは、複数のＬＥＤを実装するための基板であり、矩形状である。実装基板６５ｂには、複数の光源６５ａがマトリクス状に実装される。実装基板６５ｂは、例えばセラミックス基板、樹脂基板又は絶縁被覆されたメタルベース基板等である。また、実装基板６５ｂは、収容体６１に固定される。なお、実装基板６５ｂは、金属製板状の取付部材を介して収容体６１に固定されてもよい。なお、実装基板６５ｂには、ＬＥＤを発光させるために、直流電流を電源部７２から受電する一対の電極端子（正電極端子及び負電極端子）が形成される（不図示）。
【００４１】
光学部材６７は、透光性の部材である。光学部材６７は、例えばアクリル樹脂（ＰＭＭＡ：Ｐｏｌｙｍｅｔｈｙｌ  ｍｅｔｈａｃｒｙｌａｔｅ）、ポリカーボネート等の透明樹脂材料、又は、ガラス材料等の透明材料によって形成される。
【００４２】
光学部材６７は、収容体６１の内部形状に応じた形状に形成される。本実施の形態では、光学部材６７は、矩形板状である。光学部材６７は、発光モジュール６５の光源６５ａと対向する位置であり、発光モジュール６５の光源６５ａが発する光の主たる光軸上に設けられる。光学部材６７は、発光モジュール６５と透光カバー７０との間に配置され、発光モジュール６５と向かい合うように収容体６１の内部に固定される。光学部材６７は、発光モジュール６５よりも収容体６１の開口側に配置される。光学部材６７は、発光モジュール６５が発する光を透光させ、透光した光を透光カバー７０に出射させる。
【００４３】
また、光学部材６７は、発光モジュール６５から入射された光を透光させて、光の向きを制御して光を出射させる配光制御機能を有する。例えば、光学部材６７は、凹凸レンズ、フレネルレンズ等である。光学部材６７は、筐体２０内において、発光モジュール６５に近づく方向又は遠ざかる方向に移動可能である。具体的には、光学部材６７は、可動部６９によって、光学部材６７と発光モジュール６５との距離が変わる。これにより、光学部材６７は、発光モジュール６５に近づいたり、発光モジュール６５から遠ざかったりすることで、レンズ機能によって光学部材６７の発光面６０ａから出射する光の配光角が変わる。光学部材６７におけるレンズの具体的な形状については図示を省略する。本実施の形態では、第１の姿勢の場合に、可動部６９が光学部材６７を発光モジュール６５に近づけることで、光学部材６７は、発光面６０ａから発する光を広角配光に制御する。また、第２の姿勢の場合に、可動部６９が光学部材６７を発光モジュール６５から遠ざけることで、光学部材６７は、発光面６０ａから発する光を挟角配光に制御する。
【００４４】
可動部６９は、発光モジュール６５と光学部材６７との距離を可変する可動機構である。具体的には、可動部６９は、ヒンジ部４０の回動角度に応じて、つまり筐体２０の長さ方向でありＸ軸方向と発光面６０ａとの角度に応じて、発光モジュール６５と光学部材６７との距離を可変する。可動部６９は、第１の姿勢の場合に光学部材６７を収容体６１の底部側に押し込め、第２の姿勢の場合に光学部材６７を収容体６１の開口に近づける。可動部６９の構成は、例えば、収容体６１の開口の挿入方向に光学部材６７がスライド可能であるため、光学部材６７とヒンジ部４０の軸部Ｊとを一対のワイヤ６９ａで接続し、ヒンジ部４０による回動角度に応じて一対のワイヤ６９ａがヒンジ部４０の軸部Ｊに巻かれることで光学部材６７を発光モジュール６５に近づけたり、光学部材６７と発光モジュール６５との間に配置された一対のバネ６９ｂによって光学部材６７を発光モジュール６５から遠ざけたりする。一方のワイヤ６９ａ及び一方のバネ６９ｂは、実装基板６５ｂの一方端部に接続され、他方のワイヤ６９ａ及び他方のバネ６９ｂは、実装基板６５ｂの他方端部に設けられる。なお、可動部６９は、これに限定されず、公知の機構を用いて、光学部材６７と発光モジュール６５との間の距離を可変させてもよい。
【００４５】
なお、可動部６９を備えることが必須の構成要件ではなく、照明装置１は、可動部６９を備えていなくてもよい。この場合、光学部材６７は、収容体６１内において、スライドしなくてもよい。このため、照明装置１が光学部材６７を備えていなくてもよく、照明装置１が出射する光の配光角を変更させる配光制御機能を有していなくてもよい。
【００４６】
透光カバー７０は、透光性の部材である。透光カバー７０は、例えばアクリル樹脂、ポリカーボネート等の透明樹脂材料、又は、ガラス材料等の透明材料によって形成される。
【００４７】
透光カバー７０は、収容体６１の内部形状に応じた形状に形成され、平面視で矩形の平板状である。透光カバー７０は、発光装置６０の発光面６０ａを形成する。透光カバー７０の被係合部が収容体６１の係合部と係合することで、透光カバー７０は、収容体６１の開口を塞ぐように固定される。透光カバー７０は、収容体６１の開口を封止する蓋の役割を果たす。
【００４８】
透光カバー７０は、光学部材６７と対向する位置、つまり、発光モジュール６５の光源６５ａが発する光の主たる光軸上に設けられる。透光カバー７０は、光学部材６７の発光モジュール６５側とは反対側に配置され、光学部材６７と向かい合うように収容体６１に固定される。透光カバー７０は、光学部材６７を透光した発光モジュール６５が発する光をさらに透光させ、透光した光を発光装置６０の外側に出射させる。
【００４９】
なお、透光カバー７０は、発光モジュール６５から入射された光を拡散させる光拡散機能を有していてもよい。例えば、透光カバー７０は、光拡散材が内部又は表面に分散された乳白色の部材、表面に微小な凹凸加工を施すことで形成した部材等であってもよい。
【００５０】
電源部７２は、発光モジュール６５に電力を供給する電源回路が内蔵されたモジュールである。電源部７２に内蔵された電源回路は、電源部７２に接続された配線から供給された交流電流を直流電流に変換し、変換した直流電流を、リード線を介して発光モジュール６５の光源６５ａに供給する。
【００５１】
また、照明制御部７１は、発光モジュール６５の点灯状態を制御するコントローラである。具体的には、照明制御部７１は、切換入力部５０から取得した検知情報に基づいて、発光装置６０が発する光を第１色温度に切り換えたり、第１色温度と異なる第２色温度に切り換えたりする。第１の姿勢となる場合に、照明制御部７１は、発光装置６０の発光モジュール６５が第２色温度の光を発するように制御する。また、第２の姿勢となる場合に、照明制御部７１は、発光モジュール６５が第１色温度の光を発するように制御する。
【００５２】
ここで、本実施の形態では、第１色温度は約５０００〜７０００Ｋ（昼白色）であり、第２色温度は約２７００〜３７００Ｋ（電球色）である。
【００５３】
また、照明制御部７１は、筐体２０に対する発光装置６０の姿勢（筐体２０と発光面６０ａとの角度）に応じて色温度を変化させてもよい。つまり、この角度が大きくなればなるほど、発光モジュール６５が発する光の色温度を次第に高めてもよい。なお、照明制御部７１は、この角度が大きくなればなるほど、発光モジュール６５が発する光の色温度を次第に低下させてもよい。
【００５４】
また、照明制御部７１は、発光モジュール６５の点灯及び消灯を制御することもできる。
【００５５】
なお、照明制御部７１は、筐体２０に対する発光装置６０の姿勢に応じて色温度を変更するが、筐体２０に対する発光装置６０の姿勢が変わっても色温度を変更しなくてもよい。
【００５６】
［筐体２０と発光装置６０との姿勢］
図１Ｂ及び図４の（ａ）は、照明装置１をＺ軸プラス方向から視た場合に、発光装置６０と筐体２０とが重なる姿勢であり、発光装置６０が筐体２０の全体を覆う。この場合に、筐体２０と発光装置６０の発光面６０ａとの角度、つまり筐体２０の長さ方向でありＸ軸方向と発光面６０ａとの角度が約０°であり、筐体２０の長さ方向でありＸ軸方向と発光面６０ａとが実質的に平行の状態（以下、筐体２０と発光面６０ａとが平行の状態ということがある）にある。このように、発光装置６０と筐体２０とが重なる姿勢を第１の姿勢と定義する。実質的に平行の状態とは、筐体２０と発光面６０ａとが平行な状態の場合、又は、筐体２０と発光面６０ａとが平行な状態と同視できる場合である。
【００５７】
また、図１Ａ及び図４の（ｂ）は、照明装置１をＺ軸プラス方向から視た場合に、発光装置６０と筐体２０とが実質的に重ならない姿勢であり、発光装置６０が筐体２０を覆っていない。この場合に、筐体２０の長さ方向でありＸ軸方向と発光面６０ａとの角度が約９０°であり、筐体２０の長さ方向でありＸ軸方向と発光面６０ａとが実質的に直交の状態（以下、筐体２０と発光面６０ａとが直交の状態ということがある）にある。このように、発光装置６０と筐体２０とが実質的に重ならない姿勢を第２の姿勢と定義する。実質的に重ならない姿勢とは、照明装置１をＺ軸プラス方向から視た場合に、発光装置６０と筐体２０とが完全に重ならない姿勢だけでなく、発光装置６０と筐体２０とが僅かに重なる姿勢も含む。実質的に直交の状態とは、筐体２０と発光面６０ａとが直交の状態の場合、又は、筐体２０と発光面６０ａとが直交な状態と同視できる場合である。
【００５８】
図１Ａ、図４の（ａ）及び図４の（ｂ）に示されるように、発光装置６０は、筐体２０に対しヒンジ部４０を介してＹ軸方向周りに回動する。
【００５９】
本実施の形態では、発光装置６０は、第１の姿勢の場合に広角に配光制御され、かつ、電球色の光を発する。また、発光装置６０は、第２の姿勢の場合に狭角に配光制御され、かつ、電球色の光を発する。このように、この照明装置１では、筐体２０に対する発光装置６０の姿勢に応じて発する光を変更する。
【００６０】
［作用効果］
次に、本実施の形態における照明装置１の作用効果について説明する。
【００６１】
上述したように、本実施の形態に係る照明装置１は、発光装置６０と、発光装置６０を回動可能に支持するヒンジ部４０と、ヒンジ部４０を介して発光装置６０に接続される筐体２０とを備える。筐体２０の一面を視て、発光装置６０と筐体２０とが重なる姿勢となる場合に、発光装置６０は、筐体２０の全体を覆う。
【００６２】
従来では、照明装置の一面を視て発光装置と筐体とが重なる姿勢となる場合に、発光装置が筐体の全体を覆うことができていない。このため、発光装置が発光しても発光装置の後ろ側に存在する筐体を視認することができてしまうため、人は、違和感を覚える。
【００６３】
しかし、この照明装置１では、筐体２０の一面を視て発光装置６０と筐体２０とが重なる姿勢となる場合に、発光装置６０が筐体２０の全体を覆うため、人は、発光装置６０の裏に隠れた筐体２０を視認できなくなる。
【００６４】
したがって、この照明装置１は、見栄えがよくデザイン性に優れる。
【００６５】
また、本実施の形態に係る照明装置１は、さらに、当該照明装置１を取り付けるための取付面に対して傾斜する角度で、筐体２０を取付面に固定するネジ部材３０を備える。
【００６６】
これによれば、筐体２０に対して斜め側からドライバを用いて筐体２０を取付面に固定することができる。このため、照明装置１を取付面に取り付け易い。その結果、取付作業における作業者の作業効率の低下を抑制することができる。
【００６７】
また、本実施の形態に係る照明装置１において、筐体２０の一面を視て、発光装置６０と筐体２０とが重なる姿勢となる場合に、ネジ部材３０は、発光装置６０の外周縁よりも内側に配置される。
【００６８】
これによれば、照明装置１の一面を視た場合に、ネジ部材３０が発光装置６０に隠れてしまうため、見栄えが良くなる。
【００６９】
また、本実施の形態に係る照明装置１において、筐体２０は、板状部２１と、板状部２１の外周縁を囲むように、板状部２１の外周縁から立上る側壁部２２とを有する。そして、ネジ部材３０は、取付面に対して傾斜する角度で側壁部２２に挿通されることで、筐体２０を取付面に固定する。
【００７０】
これによれば、筐体２０に対して斜め方向からネジ部材３０を挿入することができるため、発光装置６０が邪魔にならず、照明装置１を取付面に取り付け易い。
【００７１】
また、本実施の形態に係る照明装置１において、発光装置６０は、発光モジュール６５と、発光モジュール６５が発する光を配光制御する光学部材６７と、発光モジュール６５に対する光学部材６７の位置を変更する可動部６９とを備える。そして、可動部６９は、筐体２０の一面を視て、発光装置６０と筐体２０とが実質的に重ならない姿勢となる場合に、発光装置６０が発する光の配光角が第１配光角となるように、光学部材６７を第１位置に移動させ、筐体２０の一面を視て、発光装置６０と筐体２０とが重なる姿勢となる場合に、発光装置６０が発する光の配光角が第１配光角と異なる第２配光角となるように、光学部材６７を第１位置と異なる第２位置に移動させる。
【００７２】
これによれば、筐体２０に対する発光装置６０の姿勢を変更させるだけで、照明装置１は、配光角の異なる光を出射することができる。これにより、照明装置１は、使用者の用途に応じた照明をすることができるため、使い勝手がよい。
【００７３】
また、本実施の形態に係る照明装置１は、さらに、発光装置６０が発する光を第１色温度と、第１色温度と異なる第２色温度とに切り換える照明制御部７１を備える。また、筐体２０の一面を視て、発光装置６０と筐体２０とが実質的に重ならない姿勢となる場合に、発光装置６０は、第１色温度の光を発する。そして、筐体２０の一面を視て、発光装置６０と筐体２０とが重なる姿勢となる場合に、発光装置６０は、第２色温度の光を発する。
【００７４】
これによれば、筐体２０に対する発光装置６０の姿勢を変更させるだけで、照明装置１は、色温度の異なる光を出射することができる。これにより、照明装置１は、使用者の用途に応じた照明をすることができるため、使い勝手がよい。
【００７５】
（実施の形態２）
本実施の形態に係る照明装置２００について説明する。
【００７６】
［構成］
図５Ａは、実施の形態２に係る発光装置２１０と筐体１０とが重なる姿勢の場合の点灯状態を例示する断面図である。図５Ｂは、実施の形態２に係る発光装置２１０と筐体１０とが実質的に重ならない姿勢の場合の点灯状態を例示する断面図である。
【００７７】
本実施の形態の照明装置２００の発光装置は、導光板を用いた発光装置である点等で実施の形態１と異なる。本実施の形態の照明装置２００の構成は、特に明記しない場合、実施の形態１と同様であり、同一の構成については同一の符号を付して構成に関する詳細な説明を省略する。
【００７８】
発光装置２１０は、導光板２１１と、収容体２２０と、発光モジュール２３０とを有する。
【００７９】
導光板２１１は、発光モジュール２３０が発した光が入射し、この光を導光させる光学部材である。導光板２１１は、アクリル樹脂、ポリカーボネート等の樹脂又はガラス等の透光性の部材であるが、透光性があればその他どのような材料で形成されてもよい。なお、導光板２１１の形状は、矩形状に限らず、円盤状でもよく、多角形状など、他の形状でもよい。
【００８０】
導光板２１１は、出射面２１０ａと、対向面２１０ｂと、入射面２１０ｃとを有する。
【００８１】
出射面２１０ａは、導光板２１１における略均一な平面をなしている。出射面２１０ａは、導光板２１１を導光した光が出射する面であり、対向面２１０ｂで反射した光が出射する。
【００８２】
対向面２１０ｂは、出射面２１０ａと対向する反対側の面である。対向面２１０ｂは、導光板２１１における、入射面２１０ｃと直交する面であり、略均一の平面をなしている。対向面２１０ｂは、入射面２１０ｃから導かれた光を出射面２１０ａに向けて反射する複数の配光制御部２１２を有する。
【００８３】
配光制御部２１２は、複数の凸部又は複数の凹部で構成されている。凹部又は凸部は、例えば円錐状、円錐台状、角錐状、角錐台状、角柱状等である。本実施の形態では、配光制御部２１２は、三角錐状の凹部であり、所定の規則で配列されている。配光制御部２１２は、基材に対してレーザー加工により掘削してもよく、金型成型により製造してもよい。なお、配光制御部２１２の密度は、入射面２１０ｃから遠ざかるにつれて高くてもよい。
【００８４】
入射面２１０ｃは、出射面２１０ａの端縁と対向面２１０ｂの端縁とを接続する面であり、導光板２１１の側面である。入射面２１０ｃは、各々の光源２３２の発する光が入射する面である。
【００８５】
収容体２２０は、導光板２１１の入射面２１０ｃを覆う長尺の筐体であり、導光板２１１の入射面２１０ｃ側の端縁に固定される。収容体２２０は、発光モジュール２３０が発する光を入射面２１０ｃに入射させるように発光モジュール２３０を支持し、かつ収容する収容体である。
【００８６】
発光モジュール２３０は、収容体２２０に収容される。発光モジュール２３０は、導光板２１１の入射面２１０ｃに向けて光を出射する姿勢、つまり、入射面２１０ｃと光源２３２の主たる光軸とが交差するように配置される。発光モジュール２３０の実装基板２３１は、Ｙ軸方向に長尺状であり、光源２３２が等間隔にＹ軸方向に並ぶように実装する。
【００８７】
本実施の形態においても、実施の形態１と同様の作用効果を奏する。
【００８８】
（その他変形例）
以上、本開示に係る照明装置について、実施の形態１、２に基づいて説明したが、本開示は、上記の各実施の形態１、２に限定されるものではない。
【００８９】
例えば、上記の各実施の形態１、２において、電源部は、造営材における取付面とは反対側に設けられるが、収容体に収容されてもよく、筐体に収容されていてもよい。
【００９０】
また、上記の各実施の形態１、２において、照明装置をＺ軸プラス方向から視た場合に、第２の姿勢では発光装置と筐体とが重ならないが、第２の姿勢では発光装置と筐体とが重なる姿勢、つまり、筐体と発光面とが交差する姿勢となってもよい。
【００９１】
また、上記の各実施の形態１、２において、照明制御部は、筐体に収容されていてもよく、収容体に収容されていてもよい。
【００９２】
なお、上記の各実施の形態１、２に対して当業者が思い付く各種変形を施して得られる形態や、本開示の趣旨を逸脱しない範囲で各実施の形態１、２における構成要素及び機能を任意に組み合わせることで実現される形態も本開示に含まれる。
【符号の説明】
【００９３】
１  照明装置
２０  筐体
２１  板状部
２２  側壁部
３０  ネジ部材
４０  ヒンジ部
６０  発光装置
６５  発光モジュール
６９  可動部
７１  照明制御部
【図１Ａ】
2020098731.tif 000003
【図１Ｂ】
2020098731.tif 000004
【図２】
2020098731.tif 000005
【図３Ａ】
2020098731.tif 000006
【図３Ｂ】
2020098731.tif 000007
【図４】
2020098731.tif 000008
【図５Ａ】
2020098731.tif 000009
【図５Ｂ】
2020098731.tif 000010